(57)【要約】【課題】フレキシブルリードが通過する開口を塞ぐ防水シートによって高い防水性能を発揮することが出来るスライド式携帯電子機器を提供する。【解決手段】本発明に係るスライド式携帯電子機器は、一対の筐体が互いにスライド可能に連結され、一方の筐体から引き出されたフレキシブルリード(４)が、他方の筐体に設けられた開口を通過して、該他方の筐体に内蔵されている回路基板(６)に接続されており、前記開口が防水シートによって塞がれている。ここで、前記開口を通過したフレキシブルリード(４)は、回路基板(６)の表面(6a)に沿って延びた後、回路基板(６)の側端面の位置にて回路基板(６)の表面(6a)側から裏面(6b)側へ折り返され、フレキシブルリード(４)の先端部(42)が回路基板(６)の裏面(6b)にて該回路基板(６)に接続されており、防水シートの周縁部が、前記開口の周囲の位置にて他方の筐体の内面及びフレキシブルリード(４)に貼着固定されている。【選択図】図７
2011035467.tif 000002
【特許請求の範囲】
【請求項１】
一対の筐体が互いにスライド可能に連結され、一方の筐体に内蔵されている電気的構成要素から引き出されたフレキシブルリードが、他方の筐体に設けられた開口を通過して、該他方の筐体に内蔵されている回路基板に接続されており、前記開口が防水シートによって塞がれているスライド式携帯電子機器において、前記開口を通過したフレキシブルリードは、回路基板の表面に沿って延びた後、回路基板の側端面の位置にて回路基板の表面側から裏面側へ折り返され、フレキシブルリードの先端部が回路基板の裏面にて該回路基板に接続されており、前記防水シートの周縁部が、前記開口の周囲の位置にて他方の筐体の内面及びフレキシブルリードに貼着固定されていることを特徴とするスライド式携帯電子機器。
【請求項２】
前記開口は４つの辺からなる略四角形状を呈し、該４つの辺のうち３つの辺を形成する縁部には防水シートの周縁部の一部が貼着固定される一方、残りの１つの辺を形成する縁部には防水シートの周縁部が対向し、これらの対向面間をフレキシブルリードが通過すると共に、防水シート側の対向面がフレキシブルリードに貼着固定されている請求項１に記載のスライド式携帯電子機器。
【請求項３】
前記残りの１つの辺を形成する縁部側の対向面又はその近傍領域と、フレキシブルリードとの間には、シール部材が挟圧されている請求項２に記載のスライド式携帯電子機器。
【請求項４】
前記開口を通過したフレキシブルリードは、回路基板の表面に沿って他方の筐体の短手方向に延びた後、回路基板の側端面の位置にて回路基板の表面側から裏面側へ折り返されている請求項１乃至請求項３の何れかに記載のスライド式携帯電子機器。
【発明の詳細な説明】
【技術分野】
【０００１】
本発明は、一対の筐体が互いにスライド可能に連結されているスライド式携帯電子機器に関する。
【背景技術】
【０００２】
この種のスライド式携帯電子機器においては、一方の筐体に内蔵されている電気的構成要素から引き出されたフレキシブルリードが、他方の筐体に設けられた開口を通過して、該他方の筐体に内蔵されている回路基板に接続されており、前記開口が防水シートによって他方の筐体の内面側から塞がれている（例えば、特許文献１参照）。ここで、回路基板にフレキシブルリードを接続するためのコネクタは、回路基板の前記開口側表面上に設置されている。
【０００３】
上記スライド式携帯電子機器の組み立て工程において、他方の筐体内に回路基板を内蔵する場合、先ず回路基板の表面に設置されているコネクタにフレキシブルリードを接続し、次に回路基板を他方の筐体内に収容する必要がある。
従来のスライド式携帯電子機器においては、防水シートは、その基端部のみが他方の筐体の内面に貼着固定されており、該基端部にて防水シートを湾曲させることにより、該防水シートを他方の筐体の内側へ向けて捲り上げることが可能であった。従って、スライド式携帯電子機器の組み立て工程においては、フレキシブルリードを開口から引き出すことが出来、このため回路基板上のコネクタとフレキシブルリードとの接続が容易であった。
【先行技術文献】
【特許文献】
【０００４】
【特許文献１】特開２００９−８８７３３号公報
【発明の概要】
【発明が解決しようとする課題】
【０００５】
しかしながら、従来のスライド式携帯電子機器においては、防水シートは、その基端部のみが他方の筐体に貼着固定されていたため、貼着固定されていない防水シートと他方の筐体との間からは水が侵入する虞があった。
【０００６】
防水シートの基端部以外の周縁部を他方の筐体に貼着固定することが出来れば、開口への水の侵入を防止することが出来る。しかし、従来のスライド式携帯電子機器においては、フレキシブルリードを回路基板に接続した後、捲れ上がった防水シートを元の状態に戻すと、回路基板が他方の筐体に近接することになり、このため防水シートの基端部以外の周縁部を他方の筐体に貼着固定することが出来なかった。
【０００７】
又、フレキシブルリードを回路基板に接続する前に、防水シートの周縁部全体を他方の筐体及びフレキシブルリードに貼着固定した場合には、フレキシブルリードを引き出すことが出来なくなるため、フレキシブルリードを回路基板に接続することが出来ず、スライド式携帯電子機器の組み立てが困難になる問題があった。
【０００８】
そこで本発明の目的は、フレキシブルリードが通過する開口を塞ぐ防水シートによって高い防水性能を発揮することが出来るスライド式携帯電子機器を提供することである。
【課題を解決するための手段】
【０００９】
本発明に係るスライド式携帯電子機器は、一対の筐体が互いにスライド可能に連結され、一方の筐体に内蔵されている電気的構成要素から引き出されたフレキシブルリードが、他方の筐体に設けられた開口を通過して、該他方の筐体に内蔵されている回路基板に接続されており、前記開口が防水シートによって塞がれている。ここで、前記開口を通過したフレキシブルリードは、回路基板の表面に沿って延びた後、回路基板の側端面の位置にて回路基板の表面側から裏面側へ折り返され、フレキシブルリードの先端部が回路基板の裏面にて該回路基板に接続されており、前記防水シートの周縁部が、前記開口の周囲の位置にて他方の筐体の内面及びフレキシブルリードに貼着固定されている。
【００１０】
上記スライド式携帯電子機器においては、他方の筐体は通常、２つのケース半体を互いに接合して形成されており、上記開口は一方のケース半体に形成されている。そして、該スライド式携帯電子機器の組み立て工程においては、２つのケース半体を接合する前に、一方のケース半体に形成されている上記開口にフレキシブルリードを通過させ、該開口を通過したフレキシブルリードを回路基板に接続し、そして該回路基板を一方のケース半体に収納する。
【００１１】
ここで、上記スライド式携帯電子機器においては、上記開口を通過したフレキシブルリードが回路基板の側端面の位置にて回路基板の表面側から裏面側へ折り返されているので、上述した組み立て工程にあっては、回路基板にフレキシブルリードを接続したままの状態で、回路基板の上記側端面を一方のケース半体の方へ向けて回路基板を回転させることが出来る。このとき、フレキシブルリードの内、上記開口から回路基板の側端面まで延びている引き出し部は殆ど動くことがなく、フレキシブルリードの先端部だけが、引き出し部に対してその曲げ角度を変化させながら回転することになる。
【００１２】
従って、フレキシブルリードを回路基板に接続した後であっても、一方の半体ケースの内面を露出させることが出来る。よって、防水シートの周縁部を、上記開口の周囲の位置にて一方の半体ケースの内面及びフレキシブルリードに貼着固定して、上記開口を防水シートにより塞ぐことが出来る。
防水シートを貼着固定した後は、回路基板を上述の如く回転させることにより、回路基板は一方の半体ケース内に収納されることになる。
【００１３】
貼着固定された防水シートと一方の半体ケースの内面及びフレキシブルリードとの間からは水が侵入し難いので、上記スライド式携帯電子機器は、フレキシブルリードが通過する開口を塞ぐ防水シートによって高い防水性能を発揮することになる。
【００１４】
上記スライド式携帯電子機器の具体的構成において、前記開口は４つの辺からなる略四角形状を呈し、該４つの辺のうち３つの辺を形成する縁部には防水シートの周縁部の一部が貼着固定される一方、残りの１つの辺を形成する縁部には防水シートの周縁部が対向し、これらの対向面間をフレキシブルリードが通過すると共に、防水シート側の対向面がフレキシブルリードに貼着固定されている。
【００１５】
より具体的な構成において、前記残りの１つの辺を形成する縁部側の対向面又はその近傍領域と、フレキシブルリードとの間には、シール部材が挟圧されている。
該具体的構成によれば、上記残りの１つの辺を形成する縁部側の対向面とフレキシブルリードとの間からの水の侵入が、挟圧されたシール部材によって防止されることになる。
【００１６】
上記スライド式携帯電子機器の他の具体的構成において、前記開口を通過したフレキシブルリードは、回路基板の表面に沿って他方の筐体の短手方向に延びた後、回路基板の側端面の位置にて回路基板の表面側から裏面側へ折り返されている。
【発明の効果】
【００１７】
本発明に係るスライド式携帯電子機器によれば、フレキシブルリードが通過する開口を塞ぐ防水シートによって高い防水性能を発揮することが出来る。
【図面の簡単な説明】
【００１８】
【図１】図１は、本発明の一実施形態に係るスライド式携帯電話機を示す分解斜視図である。
【図２】図２は、上記スライド式携帯電話機を構成する第１及び第２キャビネットの閉じ位置を説明する斜視図である。
【図３】図３は、該第１及び第２キャビネットの開き位置を説明する斜視図である。
【図４】図４は、上記第１キャビネットの内部構造を示す平面図である。又、図４は、上記スライド式携帯電話機の組み立て方法の第８工程を説明する平面図でもある。
【図５】図５は、上記第１及び第２キャビネットが閉じ位置に設定されているときのフレキシルブルリードの配線状態を示す縦断面図である。
【図６】図６は、該第１及び第２キャビネットが開き位置に設定されているときのフレキシルブルリードの配線状態を示す縦断面図である。
【図７】図７は、上記第１キャビネットに設けられている開口を通過したフレキシルブルリードの配線状態を示す横断面図である。
【図８】図８は、上記組み立て方法の第１工程の前段を説明する斜視図である。
【図９】図９は、上記組み立て方法の第１工程の後段を説明する斜視図である。
【図１０】図１０は、上記組み立て方法の第２工程を説明する斜視図である。
【図１１】図１１は、上記組み立て方法の第３工程を説明する斜視図である。
【図１２】図１２は、上記組み立て方法の第４工程を説明する斜視図である。
【図１３】図１３は、上記組み立て方法の第５工程を説明する斜視図である。
【図１４】図１４は、上記組み立て方法の第６工程を説明する斜視図である。
【図１５】図１５は、上記組み立て方法の第７工程を説明する斜視図である。
【図１６】図１６は、上記組み立て方法の第７工程を説明する平面図である。
【図１７】図１７は、上記組み立て方法の第９工程を説明する斜視図である。
【図１８】図１８は、該９工程の実行後のスライド式携帯電話機の組み立て状態を示す斜視図である。
【図１９】図１９は、上記スライド式携帯電話機の変形例を示す縦断面図である。
【発明を実施するための形態】
【００１９】
以下、本発明をスライド式携帯電話機に実施した形態につき、図面に沿って具体的に説明する。
図１は、本発明の一実施形態に係るスライド式携帯電話機を示す分解斜視図である。図１に示す様に、スライド式携帯電話機は、第１キャビネット(１)と第２キャビネット(２)とをスライド機構(３)によって互いにスライド可能に連結して構成されており、第１キャビネット(１)の表面(1a)には操作部(11)が配備される一方、第２キャビネット(２)の表面(2a)には液晶表示部(21)が配備されている。
【００２０】
スライド機構(３)は、ガイド部(31)とスライド部(32)とから構成され、ガイド部(31)は、第１キャビネット(１)の表面(1a)の内、操作部(11)が配備されている領域とは異なる領域に固定され、スライド部(32)は、第２キャビネット(２)の裏面(2b)に固定されている。
【００２１】
ガイド部(31)には、その両端位置に左右一対のガイド溝(311)(311)が形成されており、スライド部(32)は、その両端部(321)(321)が左右一対のガイド溝(311)(311)に摺動自在に係合し、これによりスライド部(32)の移動方向が第１キャビネット(１)の長手方向(91)に規定されている。
【００２２】
よって、第１キャビネット(１)と第２キャビネット(２)は、図２に示す如く両キャビネット(１)(２)が閉じて操作部(11)が第２キャビネット(２)により被覆された閉じ位置と、図３に示す如く両キャビネット(１)(２)が開いて操作部(11)が露出した開き位置との間で相対移動することが可能となっている。
【００２３】
図１に示す様に、第１キャビネット(１)は、表面ケース半体(12)と裏面ケース半体(13)とを互いに接合して構成されている。表面ケース半体(12)には、フレキシブルリード(４)（図４参照）が通過する開口(14)が設けられ、該開口(14)は、ＰＥＴ（ポリエチレンテレフタレート）製の防水シート(５)によって第１キャビネット(１)の内面側から塞がれている。
【００２４】
図４は、第１キャビネット(１)の内部構造を示す平面図である。図４に示す様に、表面ケース半体(12)に設けられている開口(14)は４つの辺(141)〜(144)からなる略四角形状を呈し、該４つの辺(141)〜(144)のうち３つの辺(141)〜(143)を形成する縁部には防水シート(５)の周縁部の一部が貼着固定されている。一方、残りの１つの辺(144)を形成する縁部には防水シート(５)の周縁部が対向しており、縁部側の対向面(144a)（図５参照）にはスポンジ部材(51)が貼着固定されている。
【００２５】
図５は、両キャビネット(１)(２)が閉じ位置に設定されているときのフレキシルブルリード(４)の配線状態を示す縦断面図である。図６は、両キャビネット(１)(２)が開き位置に設定されているときのフレキシルブルリード(４)の配線状態を示す縦断面図である。
図５に示す様に、フレキシブルリード(４)は、第２キャビネット(２)に内蔵されている電気的構成要素（図示せず）に接続されると共に、第２キャビネット(２)の裏面(2b)から引き出されている。該裏面(2b)から引き出されたフレキシブルリード(４)は、第２キャビネット(２)の裏面(2b)に沿って延びた後、表面ケース半体(12)に設けられている開口(14)を含む空間(15)内でＵ字状に湾曲して、スポンジ部材(51)と防水シート(５)との間を通過している。従って、フレキシブルリード(４)は、空間(15)内に、Ｕ字状に湾曲した湾曲部(41)を有している。
【００２６】
そして、上記残りの１つの辺(144)を形成する縁部に対向している防水シート(５)の対向面(5a)が、フレキシブルリード(４)に貼着固定されている。又、組立て状態においては、スポンジ部材(51)は、表面ケース半体(12)とフレキシブルリード(４)とによって挟圧されている。
【００２７】
第２キャビネット(２)の裏面(2b)から引き出されたフレキシブルリード(４)は、上記開口(14)を通過するまでの部分が一定の長さに維持されている。従って、図６に示す様に、両キャビネット(１)(２)が閉じ位置から開き位置へ向かって相対的にスライドすることにより、フレキシブルリード(４)の湾曲部(41)が上記空間(15)内をスライド方向に移動して、第１キャビネット(１)と第２キャビネット(２)とのスライド方向の離間が許容されることになる。
【００２８】
図７は、上記開口(14)を通過したフレキシルブルリード(４)の配線状態を示す横断面図である。図７に示す様に、上記開口(14)を通過したフレキシブルリード(４)は、回路基板(６)の表面(6a)に沿って第１のキャビネット(１)の短手方向(92)に延びた後（図４も参照）、回路基板(６)の側端面の位置にて回路基板(６)の表面(6a)側から裏面(6b)側へ折り返され、フレキシブルリード(４)の先端部(42)が回路基板(６)の裏面(6b)にて該回路基板(６)に接続されている。
具体的には、図７に示す様に、フレキシブルリード(４)の先端部(42)に連結された雄コネクタ(43)が、回路基板(６)の裏面(6b)上に設置されている雌コネクタ(61)に嵌合し、これによりフレキシブルリード(４)が回路基板(６)に接続されている。
【００２９】
図８及び図９はそれぞれ、上記スライド式携帯電話機の組み立て方法の第１工程の前段及び後段を説明する斜視図である。図１０〜図１５は、該組み立て方法の第２工程〜第７工程をそれぞれ説明する斜視図である。図１６は、該第７工程を説明する平面図である。図１７は、該組み立て方法の第９工程を説明する斜視図であり、該第９工程の実行後のスライド式携帯電話機の組み立て状態が図１８に示されている。尚、該組み立て方法の第８工程は図４に示されている。
【００３０】
図８に示す様に、組み立て方法の第１工程の前段においては、第１キャビネット(１)を構成する表面ケース半体(12)を第２キャビネット(２)の裏面(2b)に対して立てた後、第２キャビネット(２)の裏面(2b)から引き出されて逆Ｌ字状に延びたフレキシブルリード(４)の先端部(42)を、表面ケース半体(12)に設けられている開口(14)に挿入する。
そして、図９に示す様に、第１工程の後段においては、表面ケース半体(12)を倒しながら該開口(14)にフレキシブルリード(４)を通過させ、表面ケース半体(12)を第２キャビネット(２)の裏面(2b)に近接させる。
【００３１】
図１０に示す様に、組み立て方法の第２工程においては、第２キャビネット(２)の裏面(2b)上にて表面ケース半体(12)を、フレキシブルリード(４)を中心として回転させ、これにより、表面ケース半体(12)の長手方向を第２キャビネット(２)の長手方向に一致させると共に、表面ケース半体(12)をガイド部(31)（図９参照）にネジ留めするべく、表面ケース本体(12)側の４つのネジ孔(12c)〜(12c)をガイド部(31)側の４つのネジ孔(31c)〜(31c)に一致させる。
【００３２】
図１１に示す様に、組み立て方法の第３工程においては、互いに一致した表面ケース本体(12)側の４つのネジ孔(12c)〜(12c)とガイド部(31)側の４つのネジ孔(31c)〜(31c)とにそれぞれ、４つのネジ部材(71)〜(71)を表面ケース本体(12)の内面側から捻じ込むことにより、表面ケース半体(12)をガイド部(31)に固定する。
【００３３】
図１２に示す様に、組み立て方法の第４工程においては、回路基板(６)の裏面(6b)に設置されている雌コネクタ(61)に、フレキシブルリード(４)の先端部(42)に連結されている雄コネクタ(43)を接続する。
【００３４】
図１３に示す様に、組み立て方法の第５工程においては、フレキシブルリード(４)が接続された回路基板(６)の上下を反転させて、回路基板(６)の裏面(6b)（図１２参照）上に搭載されている複数の電気素子(62)を収納部材(８)内に収納すると共に、回路基板(６)を収納部材(８)にネジ留めするべく、回路基板(６)の側の５つのネジ孔(6c)〜(6c)を収納部材(８)側の５つのネジ孔(8a)〜(8a)（図１２参照）に一致させる。
これに並行して、表面ケース半体(12)に設けられている開口(14)内にてフレキシブルリード(４)を折り返し、これにより該フレキシブルリード(４)の湾曲部(41)を形成する。
【００３５】
図１４に示す様に、組み立て方法の第６工程においては、互いに一致した回路基板(６)の側の５つのネジ孔(6c)〜(6c)と収納部材(８)側の５つのネジ孔(8a)〜(8a)とにそれぞれ、５つのネジ部材(72)〜(72)を回路基板(６)の表面(6a)側から捻じ込むことにより、回路基板(６)を収納部材(８)に固定する。
【００３６】
図１５及び図１６に示す様に、組み立て方法の第７工程においては、表面ケース半体(12)に設けられている開口(14)の縁を形成する４つの辺(141)〜(144)の内、フレキシブルリード(４)が通過することとなる１つの辺(144)を形成する縁部に、スポンジ部材(51)を該１つの辺(144)に沿った姿勢で貼着固定する。
【００３７】
図４に示す様に、組み立て方法の第８工程においては、上記開口(14)を防水シート(５)によって表面ケース半体(12)の内面側から塞ぎ、該開口(14)の縁を形成する４つの辺(141)〜(144)の内、上記１つの辺(144)以外の３つの辺(141)〜(143)を形成する縁部に、防止シート(５)の周縁部の一部を貼着固定する。このとき、上記１つの辺(144)を形成する縁部には防水シート(５)の周縁部を対向させ、該防水シート(５)側の対向面(5a)をフレキシブルリード(４)に貼着固定する（図５参照）。
【００３８】
図１７に示す様に、組み立て方法の第９工程においては、収納部材(８)に固定されている回路基板(６)を表面ケース半体(12)内に収納するべく、回路基板(６)の側端面の内、雌コネクタ(61)からのフレキシブルリードの引き出し方向に存在する側端面を表面ケース半体(12)の方へ向けて、回路基板(６)を回転させ、これにより回路基板(６)の上下を反転させる。その結果、フレキシブルリード(４)は、該回路基板(６)の側端面の位置にて回路基板(６)の裏面(6b)側から表面(6a)側へ折り返されることになる。
【００３９】
よって、図１８に示す如く回路基板(６)を表面ケース半体(12)へ収納した状態においては、図７に示す様に、上記開口(14)を通過したフレキシブルリード(４)が、回路基板(６)の表面(6a)に沿って第１のキャビネット(１)の短手方向(92)に延びた後、回路基板(６)の側端面の位置にて回路基板(６)の表面(6a)側から裏面(6b)側へ折り返されることになる。
【００４０】
この様に、上記スライド式携帯電話機の組み立て工程においては、回路基板(６)にフレキシブルリード(４)を接続したままの状態で、回路基板(６)の上記側端面を表面ケース半体(12)の方へ向けて回路基板(６)を回転させることが出来る。このとき、フレキシブルリード(４)の内、表面ケース半体(12)に設けられている開口(14)から回路基板(６)の側端面まで延びている部分（以下、引き出し部という）は殆ど動くことがなく、フレキシブルリード(４)の先端部(42)だけが、引き出し部に対してその曲げ角度を変化させながら回転することになる。
【００４１】
従って、フレキシブルリード(４)を回路基板(６)に接続した後であっても、図４に示す様に表面ケース半体(12)の内面を露出させることが出来る。よって、防水シート(５)の周縁部を、上記開口(14)の周囲の位置にて表面ケース半体(12)の内面及びフレキシブルリード(４)に貼着固定して、上記開口(14)を防水シート(５)により塞ぐことが出来る。
【００４２】
貼着固定された防水シート(５)と表面ケース半体(12)の内面及びフレキシブルリード(４)との間からは水が侵入し難いので、上記スライド式携帯電話機は、フレキシブルリード(４)が通過する開口(14)を塞ぐ防水シート(５)によって高い防水性能を発揮することになる。
【００４３】
又、上記スライド式携帯電話機においては、互いに貼着固定されていない上記開口(14)の縁部側の対向面(144a)と防水シート(５)側の対向面(5a)との間をフレキシブルリード(４)が通過している。そして、縁部側の対向面(144a)にスポンジ部材(51)が貼着固定され、該スポンジ部材(51)は、表面ケース半体(12)とフレキシブルリード(４)とによって挟圧されている。又、防水シート(５)側の対向面(5a)は、フレキシブルリード(４)に貼着固定されている。
よって、上記スライド式携帯電話機は、互いに貼着固定されていない開口(14)の縁部と防水シート(５)との間からも水が侵入し難い構造を有している。
【００４４】
尚、本発明の各部構成は上記実施形態に限らず、特許請求の範囲に記載の技術的範囲内で種々の変形が可能である。例えば、第１キャビネット(１)に設けられている開口(14)を通過したフレキシブルリード(４)は、回路基板(６)の表面(6a)に沿って第１キャビネット(１)の長手方向(91)に延びた後、回路基板(６)の側端面の位置にて回路基板(６)の表面(6a)側から裏面(6b)側へ折り返されてもよい。
【００４５】
上記実施形態においては、縁部側の対向面(144a)にスポンジ部材(51)が設けられているが、スポンジ部材(51)は、図１９に示す様に縁部側の対向面(144a)の近傍領域に設けられてもよい。又、スポンジ部材(51)に替えて、種々のシール部材を採用してもよい。
【００４６】
更に、上記スライド式携帯電話機に採用した各種構成は、種々のスライド式携帯電子機器に適用することが出来る。
【符号の説明】
【００４７】
(１)  第１キャビネット（他方の筐体）
(12)  表面ケース半体
(14)  開口
(141)〜(144)  ４つの辺
(144a)  縁部側の対向面
(２)  第２キャビネット（一方の筐体）
(３)  スライド機構
(４)  フレキシブルリード
(42)  先端部
(43)  雄コネクタ
(５)  防水シート
(51)  スポンジ部材（シール部材）
(5a)  防水シート側の対向面
(６)  回路基板
(6a)  表面
(6b)  裏面
【図１】
2011035467.tif 000003
【図２】
2011035467.tif 000004
【図３】
2011035467.tif 000005
【図４】
2011035467.tif 000006
【図５】
2011035467.tif 000007
【図６】
2011035467.tif 000008
【図７】
2011035467.tif 000009
【図８】
2011035467.tif 000010
【図９】
2011035467.tif 000011
【図１０】
2011035467.tif 000012
【図１１】
2011035467.tif 000013
【図１２】
2011035467.tif 000014
【図１３】
2011035467.tif 000015
【図１４】
2011035467.tif 000016
【図１５】
2011035467.tif 000017
【図１６】
2011035467.tif 000018
【図１７】
2011035467.tif 000019
【図１８】
2011035467.tif 000020
【図１９】
2011035467.tif 000021